(57)【特許請求の範囲】
【請求項１】
無効な基準サブフレームのためのアップリンク上でロング・ターム・イボリューション（ＬＴＥ）測定レポートの送信を管理する方法であって、該方法は下記を具備する、
ユーザ機器（ＵＥ）をマルチキャリア構成の中の構成要素キャリアに関する測定レポートを送信するように構成することと、
前記ＵＥにおいて、前記構成要素キャリアの各々における基準サブフレームの有効性を決定することと、
前記ＵＥにおいて、前記構成要素キャリアの各々における基準サブフレームの前記有効性を前記決定することに応答して、前記マルチキャリア構成において前記構成要素キャリアに関する前記測定レポートの前記送信を管理すること。
【請求項２】
請求項１に記載の方法において、前記測定レポートの送信を管理することは以下を具備する、
複数の有効な基準サブフレームを備えた複数の構成要素キャリアに関する測定レポートを送信することと、および
無効な基準サブフレームを備えた少なくとも一つの構成要素キャリアに関する測定レポートを省略すること。
【請求項３】
請求項２に記載の方法において、前記測定レポートの送信を管理することは、
前記構成要素キャリアのすべてが無効な基準サブフレームを持つときすべての構成要素キャリアに関してレポートすることを省略すること、
を具備する。
【請求項４】
請求項２に記載の方法において、前記測定レポートの送信を管理することは、
少なくとも前記構成要素キャリアの一つが無効な基準サブフレームを持ちかつ少なくとも前記構成要素キャリアの一つが有効な基準サブフレームを持つときすべての構成要素キャリアに関する前記測定レポートの前記送信を省略すること、
を具備する。
【請求項５】
請求項２に記載の方法において、前記測定レポートは周期的なチャネル状態情報（ＣＳＩ）レポートである、
上記方法。
【請求項６】
請求項５に記載の方法において、周期的な測定レポートを送信することは、サブフレームの中のただ一つの構成要素キャリアに関する周期的なＣＳＩレポートを送信することを具備する、
ここにおいて、まさに一つの同じサブフレームの中の周期的なＣＳＩレポートを備える複数の構成要素キャリアの中で優先順序をつけることは、各々の構成要素キャリアに関するレポートタイプに少なくとも部分的に基づいている、ここで、
タイプ３，５，６および２をレポートすることは最優先順序を持ち、
タイプ２，２ｂ、２ｃ、および４をレポートすることは、タイプ３、５、６および２ａがレポートされるときに優先され、および
タイプ１および１aをレポートすることは、タイプ２、２ｂ、２ｃおよび４がレポートされるときに優先される、
上記方法。
【請求項７】
請求項６に記載の方法において、前記測定レポートは不活性化された複数の構成要素キャリアに関して省略され、および優先順序をつけることは活性化された複数の構成要素キャリアの中でのみ実行される、
上記方法。
【請求項８】
請求項６に記載の方法において、優先順序をつけることは、少なくとも二つの構成要素キャリアが同じレポートするタイプを持つとき、より上位のレイヤ構成にさらに基づく、
上記方法。
【請求項９】
請求項６に記載の方法において、周期的な測定レポートを送信することは、一つのサブフレームの中の少なくとも二つの構成要素キャリアに関する周期的なＣＳＩレポートを送信すること具備する、
ここにおいて、まさに一つの同じサブフレームの中の周期的なＣＳＩレポートを備えた複数の構成要素キャリアの中で優先順序をつけることは、各々の構成要素キャリアに関するレポートタイプに少なくとも部分的に基づく、
上記方法。
【請求項１０】
請求項６の方法において、測定レポートを送信することは、物理アップリンク制御チャネル（ＰＵＣＣＨ）あるいは物理アップリンク共有チャネル（ＰＵＳＣＨ）上の周期的なチャネル状態情報レポートを送信すること、
を具備する。
【請求項１１】
請求項２の方法において、前記測定レポートは非周期的なチャネル状態情報レポート（ＣＳＩ）である、
上記方法。
【請求項１２】
請求項１１の方法において、非周期的な測定レポートを送信することは、物理アップリンク共有チャネル（ＰＵＳＣＨ）上で送信すること、
を具備する。
【請求項１３】
請求項１２の方法において、非周期的な測定レポートを送信することは、アップリンクデータのない前記ＰＵＳＣＨ上で送信すること、
を具備する。
【請求項１４】
請求項１２の方法において、非周期的な測定レポートを送信することは、アップリンクデータを備えたＰＵＳＣＨ上で送信すること、
を具備する。
【請求項１５】
請求項２の方法において、無効な基準サブフレームを備えた少なくとも一つの構成要素キャリアに関する測定レポートを省略することは以下を具備する、
前記無効が半静的あるいは静的であるとき前記少なくとも一つの構成要素キャリアに関する測定レポートを省略すること、および
前記無効が半静的でも、静的でもないときダミーのレポートを送信すること。
【請求項１６】
請求項１に記載の方法において、前記測定レポートの送信を管理することは以下を具備する、
有効な基準サブフレームを備えた少なくとも一つの構成要素キャリアに関する測定レポートを送信すること、および
無効な基準サブフレームを備えた少なくとも一つの構成要素キャリアに関するダミー情報を送ること。
【請求項１７】
請求項１に記載の方法において、前記無効な基準サブフレームは以下を具備する、
測定ギャップ内のサブフレーム、
マルチメディア放送単一周波数ネットワーク（ＭＢＳＦＮ）サブフレーム、
３より少ないシンボルの期間を備えたダウンリンク・パイロット・タイム・スロット（ＤｗＰＴＳ）を含んでいるサブフレーム、あるいは
活性化の遷移期間あるいは不活性化の遷移期間あるいは不活性化された期間内のサブフレーム。
【請求項１８】
請求項１に記載の方法において、前記測定レポートの送信を管理することは、
構成要素キャリアが不活性化されたとき周期的なレポートを省略すること、を具備する。
【請求項１９】
請求項１に記載の方法において、前記測定レポートの送信を管理することは、
構成要素キャリアが不活性化されるときダミーの周期的なレポートを送信すること、を具備する。
【請求項２０】
アップリンク上でロング・ターム・イボリューション（ＬＴＥ）測定レポートを送信する装置、該装置は下記を具備する、
メモリ、および
前記メモリに結合された少なくとも一つのプロセッサであって、
マルチキャリア構成の中の構成要素キャリアに関する測定レポートを送信し、
前記構成要素キャリアの各々における基準サブフレームの有効性を決定し、
前記構成要素キャリアの各々おける基準サブフレームの前記有効性を前記決定することに応答して、前記マルチキャリア構成において前記構成要素キャリアに関する前記測定レポートの送信を管理するために構成されている前記少なくとも一つのプロセッサ。
【請求項２１】
請求項２０に記載の装置において、前記少なくとも一つのプロセッサは、
有効な基準サブフレームを備えた複数の構成要素キャリアに関する測定レポートを送信すること、および
無効な基準サブフレームを備えた少なくとも一つの構成要素キャリアに関する測定レポートを省略すること、
により前記測定レポートの送信を管理するためにさらに構成される、
上記装置。
【請求項２２】
請求項２１に記載の装置において、前記少なくとも一つのプロセッサは、すべての構成要素キャリアが無効な基準サブキャリアを持つとき前記構成要素キャリアすべてに関してレポートすることが省略されることにより前記測定レポートの送信を管理するためにさらに構成される、
上記装置。
【請求項２３】
請求項２１に記載の装置において、前記少なくとも一つのプロセッサは、前記複数の構成要素キャリアの少なくとも１つが無効な基準サブフレームを持ちかつ前記複数の構成要素キャリアの少なくとも１つが有効な基準サブフレームを持つときすべての構成要素キャリアに関して前記測定レポートの前記送信が省略されることにより前記測定レポートの送信を管理するためにさらに構成される、
上記装置。
【請求項２４】
請求項２１に記載の装置において、前記測定レポートは周期的なチャネル状態情報（ＣＳＩ）レポートである、
上記装置。
【請求項２５】
請求項２４に記載の装置において、前記少なくとも一つのプロセッサは、サブフレームの中のただ一つの構成要素キャリアに関する周期的なＣＳＩレポートを送信することにより周期的な測定レポートを送信するためにさらに構成される、
ここにおいて、まさに一つの同じサブフレームの中の周期的なＣＳＩレポートを備える複数の構成要素キャリアの中で優先順序をつけることは、各々の構成要素キャリアに関するレポートタイプに少なくとも部分的に基づいている、ここで
タイプ３，５，６および２をレポートすることは最優先順序を持ち、
タイプ２，２ｂ、２ｃ、および４をレポートすることは、タイプ３、５、６および２ａがレポートされるときに優先され、および
タイプ１および１ａをレポートすることは、タイプ２、２ｂ、２ｃおよび４がレポートされるときに優先される、
上記装置。
【請求項２６】
請求項２５の装置において、前記測定レポートは不活性化された複数の構成要素キャリアに関して省略され、および優先順序をつけることは活性化された複数の構成要素キャリアの中でのみ実行される、
上記装置。
【請求項２７】
請求項２５の装置において、優先順序をつけることは、少なくとも二つの構成要素キャリアが同じレポートするタイプを持つとき、より上位のレイヤ構成にさらに基づく、
上記装置。
【請求項２８】
請求項２５に記載の装置において、前記少なくとも一つのプロセッサは、サブフレームの中の少なくとも二つの構成要素キャリアに関する周期的なＣＳＩレポートを送信することによって周期的な測定レポートを送信するためにさらに構成される、
ここにおいて、まさに前記一つの同じサブフレームの中の周期的なＣＳＩレポートを備えた複数の構成要素キャリアの中で優先順序をつけることは、各々の構成要素キャリアに関するレポートタイプに少なくとも部分的に基づく、
上記装置。
【請求項２９】
請求項２５の装置において、前記少なくとも一つのプロセッサは、物理アップリンク制御チャネル（ＰＵＣＣＨ）あるいは物理アップリンク共有チャネル（ＰＵＳＣＨ）上で周期的なチャネル状態情報レポートを送信することによって測定レポートを送信するためにさらに構成される、
上記装置。
【請求項３０】
請求項２１の装置において、前記測定レポートは非周期的なチャネル状態情報（ＣＳＩ）レポートである、
上記装置。
【請求項３１】
請求項３０の装置において、前記少なくとも一つのプロセッサは、物理アップリンク共有チャネル（ＰＵＳＣＨ）上で送信することによって非周期的な測定レポートを送信するためにさらに構成される、
上記装置。
【請求項３２】
請求項３１の装置において、前記少なくとも一つのプロセッサは、アップリンクデータなしの前記ＰＵＳＣＨ上で送信することによって非周期的な測定レポートを送信するためにさらに構成される、
上記装置。
【請求項３３】
請求項３１の装置において、前記少なくとも一つのプロセッサは、アップリンクデータを備えた前記ＰＵＳＣＨ上で送信することによって非周期的な測定レポートを送信するためにさらに構成される、
上記装置。
【請求項３４】
請求項２１の装置において、前記少なくとも一つのプロセッサは、
前記無効が半静的あるいは静的であるとき前記少なくとも一つの構成要素キャリアに関する測定レポートを省略すること、および
前記無効が半静的でも、静的でもないときダミーのレポートを送信すること、
により、無効な基準サブフレームを備えた少なくとも一つの構成要素キャリアに関する測定レポートを省略するためにさらに構成される。
【請求項３５】
請求項２０に記載の装置において、前記少なくとも一つのプロセッサは、
有効な基準サブフレームを備えた少なくとも一つの構成要素キャリアに関する測定レポートを送信すること、および
無効な基準サブフレームを備えた少なくとも一つの構成要素キャリアに関するダミーの情報を送ること、
により、前記測定レポートの送信を管理するようにさらに構成される。
【請求項３６】
請求項２０に記載の装置において、無効な基準サブフレームは以下を具備する、
測定ギャップ内のサブフレーム、
マルチメディア放送単一周波数ネットワーク（ＭＢＳＦＮ）サブフレーム、
３より少ないシンボルの期間を備えたダウンリンク・パイロット・タイム・スロット（ＤｗＰＴＳ）を含んでいるサブフレーム、あるいは 
活性化の遷移期間あるいは不活性化の遷移期間あるいは不活性化された期間内のサブフレーム。
【請求項３７】
請求項２０に記載の装置において、前記少なくとも一つのプロセッサは、構成要素キャリアが不活性化されるときに周期的なレポートを省略することによって前記測定レポートの送信を管理するためにさらに構成される。
【請求項３８】
請求項２０に記載の装置において、前記少なくとも一つのプロセッサは、構成要素キャリアが不活性化されるときダミーの周期的なレポートを送信することによって前記測定レポートの送信を管理するためにさらに構成される。
【請求項３９】
アップリンク上でロング・ターム・イボリューション（ＬＴＥ）測定レポートを送信する装置、該装置は下記を具備する、
マルチキャリア構成の中の構成要素キャリアに関する測定レポートを送信する複数の手段、
前記構成要素キャリアの各々における基準サブフレームの有効性を決定する複数の手段、
前記構成要素キャリアの各々における基準サブフレームの前記有効性を前記決定する複数の手段に応答して、有効な基準サブフレームを備えた構成要素キャリアに関する測定レポートを送信する複数の手段、および
前記構成要素キャリアの各々における基準サブフレームの前記有効性を前記決定する複数の手段に応答して、無効な基準サブフレームを備えた少なくとも一つの構成要素キャリアに関する測定レポートを省略する複数の手段。
【請求項４０】
アップリンク上でロング・ターム・イボリューション（ＬＴＥ）測定レポートを送信するコンピュータ・プログラム、該プログラムは下記を具備する、
マルチキャリア構成の中の構成要素キャリアに関する測定レポートを送信するためのプログラムコード、
前記構成要素キャリアの各々における基準サブフレームの有効性を決定するためのプログラムコード、および
前記構成要素キャリアの各々における基準サブフレームの前記有効性を前記決定することに応答して、前記マルチキャリア構成の中の前記構成要素キャリアに関する前記測定レポートの送信を管理するためのプログラムコード。
【請求項４１】
請求項４０に記載のプログラムにおいて、その中の前記測定レポートの送信を管理するための前記プログラムコードは下記を具備する、
有効な基準サブフレームを備えた複数の構成要素キャリアに関する測定レポートを送信するためのプログラムコード、および
無効な基準サブフレームを備えた少なくとも一つの構成要素キャリアに関する測定レポートを省略するためのプログラムコード。
【発明の詳細な説明】
【関連出願の相互参照】
【０００１】
本件出願は、ＣＨＥＮ等の名における２０１１年４月２８日の米国仮特許出願、番号６１／４８０、２８４の利益を請求し、この開示は参照によって本件明細書全体に明白に組み込まれる。
【技術分野】
【０００２】
本開示の観点は、ワイヤレス通信システムに、および特にキャリアの集合体システムにおけるチャネル状態情報のフィードバックでの無効な基準（invalid reference）サブフレームに、一般的に関係する。
【背景技術】
【０００３】
ワイヤレス通信ネットワークはボイス、ビデオ、パケットデータ、メッセージング、ブロードキャストなどのような様々な通信サービスを提供するために広く展開されている。これらワイヤレス・ネットワークは、利用可能なネットワーク・リソースを共有することにより、マルチプル（multiple）のユーザをサポートすることができるマルチプル接続ネットワークでありうる。このようなマルチ接続（multiple-access）ネットワークの例は、符号分割マルチ接続（ＣＤＭＡ）ネットワーク、時分割マルチ接続（ＴＤＭＡ）ネットワーク、周波数分割マルチ接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
ワイヤレス通信ネットワークは、多くのユーザ機器（ＵＥ）に対する通信をサポートしうる多くの基地局を含みうる。ＵＥは、ダウンリンクおよびアップリンクを介して基地局と通信しうる。ダウンリンク（あるいは順方向リンク）は、基地局からＵＥへの通信リンクを指し、およびアップリンク（あるいは逆方向リンク）は、ＵＥから基地局への通信リンクを指す。
【０００５】
基地局は、ＵＥにダウンリンク上の制御情報およびデータを送信しうる、および／またはＵＥからアップリンク上の制御情報およびデータを受信しうる。ダウンリンク上では、基地局からの送信が、隣接する基地局からの、あるいは他のワイヤレス無線周波数（ＲＦ）送信機からの送信に起因した干渉に遭遇しうる。アップリンク上では、ＵＥからの送信が、隣接する基地局と通信する他のＵＥのアップリンク送信からの、あるいは他のワイヤレスＲＦ送信機からの干渉に遭遇しうる。この干渉は、ダウンリンクおよびアップリング上の性能を低下させうる。
【０００６】
モバイル広帯域アクセスへの需要が増加し続けたとき、社会に展開されるより多くの短距離ワイヤレス・システム、およびより多く長距離ワイヤレス通信ネットワークへのＵＥのアクセスによるネットワークの過密および干渉の可能性は増大する。研究開発は、モバイル広帯域アクセスへの増大する需要を満たすためだけでなく、移動体通信でのユーザ体験を改善および発展するためにＵＭＴＳ技術を前進させ続けている。
【発明の概要】
【０００７】
本開示の観点により、ある方法がアップリンク上のＬＴＥ測定レポートを送信する。前記方法は、マルチキャリア構成（multicarrier configuration）の中の無効な基準サブフレームを管理する。前記管理は、複数の有効な基準（valid reference）サブフレームを備えた構成要素キャリア（component carrier）に関する測定レポートを送信することにより、および無効な基準サブフレームを備えた少なくとも一つの構成要素キャリアに関する測定レポートを省略することにより実現されうる。
【０００８】
別の観点において、アップリンク上のＬＴＥ測定レポートを送信することに関する装置は、メモリおよびメモリに結合された少なくとも一つのプロセッサを含む。プロセッサ（複数）はマルチキャリア構成の中の無効な基準サブフレームを管理するように構成される。
【０００９】
さらに別の観点において、アップリンク上のＬＴＥ測定レポートを送信することに関する装置は、有効な基準サブフレームを備えた構成要素キャリアに関する測定レポートを送信するための手段を持つ。前記装置はまた、無効な基準サブフレームを備えた少なくとも一つの構成要素キャリアに関する測定レポートを省略する複数の手段を持つ。
【００１０】
さらに別の観点において、アップリンク上のＬＴＥ測定レポートを送信することに関するコンピュータ・プログラム・プロダクトは、その上に記録された非一時的なプログラムコード持つ非一時的なコンピュータ可読媒体を備える。前記プログラムコードは、マルチキャリア構成の中の無効な基準サブフレームを管理するためのプログラムコードを含んでいる。そのようなプログラムコードは、有効な基準サブフレームを備えた複数の構成要素キャリアに関する測定レポートを送信するためのプログラムコード、および無効な基準サブフレームを備えた少なくとも一つの構成要素キャリアに関する測定レポートを省略するためのプログラムコードを含みうる。
【００１１】
これは、続く詳細な説明がよりよく理解されうるために本開示の技術的利点および特徴をやや大雑把に概説した。この開示の追加的な特徴および利点が以下に述べられる。本開示は、本開示の同じ目的を実現するために他の構造を設計あるいは修正するための根拠として容易に利用されうることを当業者に理解されるべきである。そのような同等な構造は、付加された請求項において述べられるような開示の教示からはずれないことを当業者にまた理解されるべきである。前記の新しい特徴、それは開示の特徴と考えられ、その構造および実施方法両方についてであり、更なる目的および利点を伴っており、添付された図と共に考慮されるときに以下の説明からよりよく理解される。しかしながら、図の各々は、図説および説明のためだけの目的で提供され、かつ本開示の限界の定義として意図されないことは特に理解されるべきである。
【図面の簡単な説明】
【００１２】
【図１】図１は、電気通信システムにおける電気通信システムの例を概念的に図説するブロック図である。
【図２】図２は、電気通信システムにおけるダウンリンクフレーム構造の例を概念的に図説する図である。
【図３】図３は、本開示の一つの観点に従って構成されたＵＥおよび基地局／ｅＮｏｄｅＢの設計を概念的に図説するブロック図である。
【図４Ａ】図４Ａは連続したキャリアの集合体（aggregation）タイプを開示する。
【図４Ｂ】図４Ｂは不連続なキャリアの集合体タイプを開示する。
【図５】図５はＭＡＣレイヤのデータ集合体を開示する。
【図６】図６は、マルチプルなキャリア構成における無線リンクをコントロールする方法を図説するブロック図である。
【図７】図７は、ＰＵＣＣＨおよびＰＵＳＣＨ上で搬送されるＵＬ  ＰＣＣを図説する、一方ＵＬ  ＳＣＣはＰＵＳＣＨ上で搬送される。
【図８】図８は、ＰＵＳＣＨ上で伝送されている非周期的および周期的なレポートを図説する、一方周期的レポートのみがＰＵＣＣＨ上で送信される。
【図９】図９は、レポートを省略することにより、無効なダウンリンク基準（reference）サブフレームを管理するための方法を図説するブロック図である。
【図１０】図１０は、ダミーのレポートを使用して無効なダウンリンク基準サブフレームを管理する方法を図説するブロック図である。
【図１１】図１１は、レポートするときの無効なダウンリンク基準サブフレームを管理する方法を図説するブロック図である。
【詳細な説明】
【００１３】
下に述べられる詳細な説明は、添付された図面と共に、様々な構成の一つの説明として意図され、かつここに記述された複数の概念が実施されうる構成のみを表現することを意図しない。その詳細な説明は、様々な概念の完全な理解を提供するための特定の詳細を含んでいる。しかしながら、これらの概念がこれらの特定の詳細なしで実施されうることは当業者に対して明白である。いくつかの例において、周知の構造および要素は、そのような概念を曖昧にすることを避けるためにブロック図の形により示される。
【００１４】
ここに説明される技術は、符号分割マルチ接続（ＣＤＭＡ）ネットワーク、時分割マルチ接続（ＴＤＭＡ）ネットワーク、周波数分割マルチ接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークなどのような様々なワイヤレス通信ネットワークに使用されうる。「システム」および「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ（登録商標））および低チップ・レート（ＬＣＲ）を含む。ＣＤＭＡ２０００は、ＩＳ−２０００規格、ＩＳ−９５規格およびＩＳ−８５６規格をカバーする。ＴＤＭＡネットワークは、グローバル・システム・フォー・モバイル通信（ＧＳＭ（登録商標））のようなラジオ技術を実現しうる。ＯＦＤＭＡネットワークは、発展型ＵＴＲＡ（Ｅ−ＵＴＲＡ）、ＩＥＥＥ  ８０２．１６、ＩＥＥＥ  ８０２．１６、ＩＥＥＥ  ８０２．２０、フラッシュＯＦＤＭ（登録商標）などのようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳおよびＬＴＥは、「第３世代パートナシップ計画」（３ＧＰＰ）なる名前の組織（organization）からの文書に記載されている。ＣＤＭＡ２０００は、「第３世代パートナシップ計画２」（３ＧＰＰ２）なる名前の組織からの文書に記載されている。これらさまざまなラジオ技術および規格は、当該技術分野において知られている。明快さのために、これら技術の一定の観点は以下、ＬＴＥについて述べられており、ＬＴＥ用語が以下の説明の大部分において使用される。
【００１５】
ここに説明される技術は、ＣＤＭＡ、ＴＤＭＡ、ＦＤＭＡ、ＯＦＤＭＡ、ＳＣ−ＦＤＭＡおよび他のネットワークのような様々なワイヤレス通信ネットワークに使用されうる。用語「ネットワーク」および「システム」は、しばしば置換可能に使用される。ＣＤＭＡネットワークは、ユニバーサル地上無線アクセス（ＵＴＲＡ）、米国電気通信工業会（ＴＩＡ）のＣＤＭＡ２０００（ｒ）などのラジオ技術を実現しうる。ＵＴＲＡテクノロジーは広帯域ＣＤＭＡ（ＷＣＤＭＡ（登録商標））およびＣＤＭＡの他の変形を含んでいる。ＣＤＭＡ２０００（ｒ）テクノロジーは、エレクトロニクス産業連合（ＥＩＡ）およびＴＩＡからのＩＳ−２０００、ＩＳ−９５およびＩＳ−８５６規格を含んでいる。ＴＤＭＡネットワークは、グローバル移動体通信システム（ＧＳＭ）のようなラジオ技術を実現しうる。
【００１６】
ＯＦＤＭＡネットワークは、発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭＡ、のようなラジオ技術を実現しうる。ＵＴＲＡおよびｅ−ＵＴＲＡテクノロジーはユニバーサル・モバイル・テレコミュニケーション・システム（ＵＭＴＳ）の一部である。３ＧＰＰロング・ターム・エボリューション（ＬＴＥ）またＬＴＥアドバンス（ＬＴＥ−Ａ）はＥ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナシップ計画」（３ＧＰＰ）と呼ばれる組織からの文書に記載されている。ＣＤＭＡ２０００（ｒ）およびＵＭＢは、「第３世代パートナシップ計画２」（３ＧＰＰ２）と呼ばれる組織からの文書に記載されている。ここに説明される技術は、他のワイヤレス・ネットワークおよびラジオ・アクセス技術と同様に、上に言及されたワイヤレス・ネットワークおよびラジオ・アクセス技術に関して使用されうる。明快さのために、技術の一定の観点は、ＬＴＥあるいはＬＴＥ−Ａ（ともに「ＬＴＥ／−Ａ」のような二者択一において指されうる）に関して以下述べられ、かつ以下の説明の大部分においてそのようなＬＴＥ／−Ａ用語を使用する。
【００１７】
図１はワイヤレス通信ネットワーク１００を示し、それはＬＴＥ−Ａネットワークでありうる。ワイヤレス・ネットワーク１００は発展型ノードＢ（evolved nodeB）（ｅＮｏｄｅＢ）１１０および他のネットワーク・エンティティを含む。ｅＮｏｄｅＢはまた、複数のＵＥと通信する一つの局でありえ、および、また基地局、ノードＢ、アクセスポイントなどのように呼ばれることができる。各ｅＮｏｄｅＢ  １１０は特定の地理的なエリアのための通信カバレッジを提供しうる。３ＧＰＰにおいては、用語「セル」は、一つのｅＮｏｄｅＢのこの特定の地理的なカバレッジ・エリア、および／またはカバレッジ・エリアを受け持つｅＮｏｄｅＢサブシステムを指すことができ、用語が使われる文脈に依存する。
【００１８】
ｅＮｏｄｅＢはマクロ・セル、ピコ・セル、フェムト・セル、および／または他のセルのタイプに関する通信カバレッジを提供しうる。マクロ・セルは一般に比較的大きな地理的なエリア（例えば半径で数キロメートル）をカバーし、および、ネットワークプロバイダとのサービス・サブスクリプション（subscriptions）を備えたＵＥによる制限されないアクセスを許しうる。ピコ・セルは一般に比較的より小さな地理的なエリアをカバーするであろうし、ネットワークプロバイダとのサービス・サブスクリプションを備えたＵＥによる制限ないアクセスを許しうる。フェムト・セルはまた一般に比較的小さな地理的なエリア（例えば家）をカバーするであろうし、および、制限されないアクセスに加えて、フェムト・セル（例えばクローズされた加入者グループ（ＣＳＧ）中のＵＥ、家の中におけるユーザのためのＵＥなど）と関連を持つＵＥによって制限されたアクセスをまた提供しうる。マクロ・セルに関するｅＮｏｄｅＢはマクロｅＮｏｄｅＢと呼ばれることができる。ピコ・セルに関するｅＮｏｄｅＢはピコｅＮｏｄｅＢと呼ばれることができる。および、フェムト・セルに関するｅＮｏｄｅＢはフェムトｅＮｏｄｅＢあるいはホームｅＮｏｄｅＢと呼ばれることができる。図１に示される例において、ｅＮｏｄｅＢ  １１０ａ、１１０ｂおよび１１０ｃは、それぞれマクロ・セル１０２ａ、１０２ｂおよび１０２ｃに関するマクロのｅＮｏｄｅＢである。ｅＮｏｄｅＢ  １１０ｘはピコ・セル１０２ｘに関するピコｅＮｏｄｅＢである。および、ｅＮｏｄｅＢｓ  １１０ｙおよび１１０ｚはそれぞれフェムト・セル１０２ｙおよび１０２ｚに関するフェムトｅＮｏｄｅＢｓである。ｅＮｏｄｅＢは１つあるいは複数の（例えば２、３、４など）セルをサポートしうる。
【００１９】
ワイヤレス・ネットワーク１００はまた中継局を含みうる。中継局は、上流局（例えばｅＮｏｄｅＢ、ＵＥなど）からのデータおよび／または他の情報の送信を受信し、そして下流局（例えばＵＥまたはｅＮｏｄｅＢ）へデータおよび／または他の情報の送信を送る、局である。中継局は、また他のＵＥのために伝送を中継するＵＥでありうる。図１に示される例において、中継局１１０ｒは、ｅＮｏｄｅＢ  １１０ａおよびＵＥ  １２０ｒの間の通信を容易にするためにｅＮｏｄｅＢ  １１０ａおよびＵＥ  １２０ｒと通信しうる。中継局は、また中継ｅＮｏｄｅＢ、中継機器（relay）など呼ばれることができる。
【００２０】
ワイヤレス・ネットワーク１００は、例えばマクロｅＮｏｄｅＢ、ピコｅＮｏｄｅＢ、フェムトｅＮｏｄｅＢ、中継器などの異なるタイプのｅＮｏｄｅＢを含む異成分からなるネットワークでありうる。これらｅＮｏｄｅＢの異なるタイプは、ワイヤレス・ネットワーク１００において異なる送信電力レベル、異なるカバレッジ・エリアおよび干渉での異なる影響を持ちうる。例えば、マクロｅＮｏｄｅＢは、高い送信電力レベル（例えば２０ワット）を持ちうる、しかしピコｅＮｏｄｅＢ、フェムトｅＮｏｄｅＢおよび中継機器はより低い送信電力レベル（例えば１ワット）を持ちうる。
【００２１】
ワイヤレス・ネットワーク１００は同期あるいは非同期オペレーション（operation）をサポートしうる。同期オペレーションに関しては、ｅＮｏｄｅＢは類似したフレームタイミングを持ちうる、および異なるｅＮｏｄｅＢからの送信はインタイム（in time）におよそ調整されうる。非同期オペレーションに関しては、ｅＮｏｄｅＢは異なるフレームタイミングを持ちうる、および異なるｅＮｏｄｅＢｓからの送信はインタイムに調整されないことがありうる。ここに述べられた技術は、同時あるいは非同期オペレーションのいずれかで使用されうる。
【００２２】
一つの観点において、ワイヤレス・ネットワーク１００は周波数分割複信（ＦＤＤ）あるいは時分割複信（ＴＤＤ）のオペレーションのモードをサポートしうる。ここに述べられた技術は、ＦＤＤあるいはＴＤＤのオペレーションのモードのいずれかで使用されうる。
【００２３】
ネットワーク制御装置１３０は１セットのｅＮｏｄｅＢ  １１０に結合し、これら複数のｅＮｏｄｅＢ  １１０に協調と制御を提供しうる。ネットワーク・コントローラ１３０はバックホールを介して複数のｅＮｏｄｅＢ  １１０と通信しうる。複数のｅＮｏｄｅＢ  １１０はまた、例えば、直接的にあるいは、無線バックホールまたは有線バックホールを介して間接的に、互いに通信しうる。
【００２４】
複数のＵＥ  １２０はワイヤレス・ネットワーク１００の全体にわたって散在しており、そしてそれぞれのＵＥは据え付けまたはモバイルでありうる。ＵＥはまた、端末、移動局、加入者ユニット、局などのように呼ばれることができる。ＵＥは、携帯電話、携帯情報端末（ＰＤＡ）、ワイヤレス・モデム、ワイヤレス通信デバイス、ハンドヘルドデバイス、ラップトップ・コンピューター、コードレス電話機、ワイヤレス・ローカル・ループ（ＷＬＬ）局、タブレットなどでありうる。一つのＵＥは、複数のマクロｅＮｏｄｅＢ、ピコｅＮｏｄｅＢ、フェムトｅＮｏｄｅＢ、中継機器などと通信することができる。図１において、二つの矢を備える実線は、ＵＥおよびと受け持つｅＮｏｄｅＢの間の要求された送信を示す、そしてそれはダウンリンクおよび／またはアップリンク上のＵＥを受け持つために指定されたｅＮｏｄｅＢである。二つの矢を備える破線は、ＵＥとｅＮｏｄｅＢの間の干渉している送信を示す。
【００２５】
ＬＴＥは、ダウンリンク上の直交周波数分割多重化（ＯＦＤＭ）およびアップリンク上のシングルキャリア周波数分割多重化（ＳＣ−ＦＤＭ）を利用する。ＯＦＤＭおよびＳＣ−ＦＤＭはマルチプル（Ｋ）な直交サブキャリアへシステムの帯域幅を分割する、そしてそれらはまたトーン、ビンなどと一般的に呼ばれる。おのおののサブキャリアは、データで変調されうる。一般に、変調シンボルは、ＯＦＤＭによって周波数領域で、ＳＣ−ＦＤＭによって時間領域で送信される。隣接するサブキャリア間の間隔は固定されうる、そして、サブキャリアの総数（Ｋ）は、システム帯域幅に依存しうる。例えば、サブキャリアの間隔は１５ｋＨｚでありえ、そして、最小のリソース割り当て（「リソースブロック」と呼ばれる）は１２のサブキャリア（あるいは１８０ｋＨｚ）でありうる。その結果として、名目上のＦＦＴサイズは、１．２５、２．５、５、１０あるいは２０メガヘルツ（ＭＨｚ）の対応するシステム帯域幅に関して、それぞれ１２８、２５６、５１２、１０２４あるいは２０４８に等しいことがありうる。システムの帯域幅はまたサブバンドへ分割されうる。例えば、サブバンドは１．０８ＭＨｚ（すなわち６つのリソースブロック）をカバーしうる、そして、１．２５、２．５、５、１０、１５あるいは２０ＭＨｚの対応するシステム帯域幅に関して、それぞれ１、２、３、８あるいは１６のサブバンドがありうる。
【００２６】
図２は、ＬＴＥにおいて使用されるダウンリンクのＦＤＤフレーム構造を示す。ダウンリンクに関する送信タイムライン（timeline）は無線フレームのユニットへ分割されうる。各無線フレームは予め決められた期間（例えば１０ミリセカンド（ミリセカンド））を持ちうるし、そして０〜９のインデックスを備えた１０のサブフレームへ分割されうる。各サブフレームは二つのスロットを含みうる。各無線フレームは、このように０から１９のインデックスを備えた２０のスロットを含みうる。各スロットはそれぞれＬ個のシンボル・ピリオド（symbol period）、例えば（図２に示されるような）通常のサイクリック・プリフィックス（cyclic prefix）に対する７個のシンボル・ピリオドあるいは拡張サイクリックプリフィックスに対する６個のシンボル・ピリオド、を含みうる。各サブフレームの中の２Ｌ個のシンボル・ピリオドは、０から２Ｌ−１のインデックスを割当てられうる。利用可能な時間周波数リソースはリソースブロックへ分割されうる。各リソースブロックは一つのスロットでＮ個のサブキャリア（例えば１２のサブキャリア）をカバーしうる。
【００２７】
ＬＴＥにおいては、ｅＮｏｄｅＢは、前記ｅＮｏｄｅＢにおける各セルへ第１の同期信号（ＰＳＣまたはＰＳＳ）および第２の同期信号（ＳＳＣまたはＳＳＳ）を送りうる。オペレーションのＦＤＤモードに関して、図２に示されるように、通常のサイクリックプリフィックスを備えた各無線フレームのサブフレーム０および５の各々において、第１および第２の同期信号は、シンボル・ピリオド６および５でそれぞれ送られうる。同期信号はＵＥによってセル探知および獲得に使用されうる。オペレーションのＦＤＤモードに関して、ｅＮｏｄｅＢは、サブフレーム０のスロット１の中のシンボル・ピリオド０〜３で物理ブロードキャスト・チャネル（ＰＢＣＨ）を送りうる。ＰＢＣＨは一定のシステム情報を搬送しうる。
【００２８】
図２で見られるように、ｅＮｏｄｅＢは各サブフレームの第１のシンボル・ピリオドで物理制御フォーマットインジケーターチャネル（ＰＣＦＩＣＨ）を送りうる。ＰＣＦＩＣＨは、制御チャネルのために使用されるシンボル・ピリオドの数（Ｍ）を搬送しうる、ここでＭは１、２あるいは３に等しいことがありうる、そして、サブフレームからサブフレームで変化しうる。Ｍはまた、例えば１０未満のリソースブロックの、小さなシステム帯域幅に対して３に等しいことがありうる。図２で示される例において、Ｍ＝３である。ｅＮｏｄｅＢは各サブフレームの最初のＭ個のシンボル・ピリオドで物理ＨＡＲＱインジケータチャネル（ＰＨＩＣＨ）および物理ダウンリンク制御チャネル（ＰＤＣＣＨ）を送りうる。ＰＤＣＣＨおよびＰＨＩＣＨはまた、図２で示される例において最初の三つのシンボル・ピリオドに含まれうる。ＰＨＩＣＨは、ハイブリッド自動再伝送（ＨＡＲＱ）をサポートするための情報を搬送しうる。ＰＤＣＣＨは、ＵＥに関するアップリンクおよびダウンリンクのリソース割当の情報、およびアップリンクチャネルに関するパワー制御情報を搬送しうる。ｅＮｏｄｅＢは各サブフレームの残りのシンボル・ピリオドで物理ダウンリンク共有チャネル（ＰＤＳＣＨ）を送りうる。ＰＤＳＣＨは、ダウンリンク上のデータ伝送に関してスケジューリングされたＵＥのためのデータを搬送しうる。
【００２９】
ｅＮｏｄｅＢは、ｅＮｏｄｅＢによって使用されるシステム帯域幅の中心１．０８ＭＨｚでＰＳＣ、ＳＳＣおよびＰＢＣＨを送りうる。ｅＮｏｄｅＢは、これらのチャネルが送られる各シンボル・ピリオド中の全システムの帯域幅をまたがってＰＣＦＩＣＨおよびＰＨＩＣＨを送りうる。ｅＮｏｄｅＢは、システムの帯域幅の一定の部分でＵＥの複数のグループにＰＤＣＣＨを送りうる。ｅＮｏｄｅＢは、システムの帯域幅の特定の部分でＵＥの複数のグループにＰＤＳＣＨを送りうる。ｅＮｏｄｅＢはすべてのＵＥにブロードキャスト方式でＰＳＣ、ＳＳＣ、ＰＢＣＨ、ＰＣＦＩＣＨおよびＰＨＩＣＨを送りうるし、特定のＵＥにユニキャスト（unicast）方式でＰＤＣＣＨを送りうるし、およびまた特定のＵＥにユニキャスト方式でＰＤＳＣＨを送りうる。
【００３０】
いくつかのリソース要素は各シンボル・ピリオド内で利用できうる。各リソース要素は、一つのシンボル・ピリオドにおいて一つのサブキャリアをカバーし、および一つの変調シンボルを送信するために使用される、そしてそのシンボルは実数値または複素数値でありうる。制御チャネルのために使用されるシンボル関しては、各シンボル・ピリオドにおけるリファレンス信号のために使用されないリソース要素は、リソース要素群（ＲＥＧ）へと配列されうる。各ＲＥＧは一つのシンボル・ピリオドにおいて４つのリソース要素を含みうる。ＰＣＦＩＣＨは４つのＲＥＧを占めうる、そしてそれらはシンボル・ピリオド０において、周波数をまたがってほぼ等しい間隔で置かれうる。ＰＨＩＣＨは三つのＲＥＧを占めうる、そしてそれは１つまたは複数の設定可能なシンボル・ピリオドにおいて、それらは周波数をまたがって分散されうる。例えば、ＰＨＩＣＨに関する三つのＲＥＧはすべてシンボル・ピリオド０に属しうるし、あるいはシンボル・ピリオド０、１および２に分散されうる。ＰＤＣＣＨは９、１８、３６あるいは７２のＲＥＧを占めうる、そしてそれは最初のＭ個のシンボル・ピリオドの中の、利用可能なＲＥＧから選ばれうる。ＲＥＧの一定の組み合わせのみが、ＰＤＣＣＨのために許可されうる。
【００３１】
ＵＥは、ＰＨＩＣＨおよびＰＣＦＩＣＨのために使用された特定のＲＥＧを知りうる。ＵＥは、ＰＤＣＣＨのためのＲＥＧの異なる組み合わせを検索しうる。検索するための組み合わせの数は、典型的にはＰＤＣＣＨにおけるすべてのＵＥのために許可された組み合わせの数未満である。ｅＮｏｄｅＢは、ＵＥが探索するであろう任意の組み合わせにおいてＵＥにＰＤＣＣＨを送りうる。
【００３２】
一つのＵＥはマルチプルなｅＮｏｄｅＢのカバレッジ内にありうる。これらのｅＮｏｄｅＢｓのうちの１つは、前記ＵＥを受け持つために選択されうる。受け持つｅＮｏｄｅＢは、受信電力、経路損失、ＳＮ比（ＳＮＲ）などのような様々な基準に基づいて選択されうる。
【００３３】
図３は、基地局／ｅＮｏｄｅＢ  １１０およびＵＥ  １２０の設計のブロック図を示す、それは図１における基地局／ｅＮｏｄｅＢのうちの１つおよびＵＥのうちの１つでありうる。基地局１１０は、図１におけるマクロｅＮｏｄｅＢ  １１０ｃでありえ、そしてＵＥ  １２０はＵＥ  １２０ｙでありうる。基地局１１０はまたある他のタイプの基地局でありえる。基地局１１０はアンテナ３３４ａから３３４ｔまでを備えられうるし、そしてＵＥ  １２０はアンテナ３５２ａから３５２ｒまでを備えられうる。
【００３４】
基地局１１０では、送信プロセッサ３２０はデータソース３１２からのデータおよびコントローラ／プロセッサ３４０からの制御情報を受信しうる。制御情報はＰＢＣＨ、ＰＣＦＩＣＨ、ＰＨＩＣＨ、ＰＤＣＣＨなどに関しうる。データはＰＤＳＣＨなどに関しうる。プロセッサ３２０は、データシンボルと制御シンボルを得るための制御情報およびデータをそれぞれ処理（例えばエンコードおよびシンボル・マップ（symbol map））しうる。プロセッサ３２０はまた、例えばＰＳＳ、ＳＳＳに関するリファレンスシンボル、およびセルに特定なリファレンス信号を生成しうる。送信（ＴＸ）マルチ入力マルチ出力（ＭＩＭＯ）プロセッサ  ３３０はデータシンボル、制御シンボル、および／またはリファレンスシンボル上で空間処理（例えばプリコーディング）を実行しうるし、該当する場合、さらに変調器（ＭＯＤｓ）３３２ａから３３２ｔに出力シンボルストリーム(symbol stream）を供給しうる。各変調器３３２は、出力サンプルストリーム（sample stream）を得るためにそれぞれの出力シンボルストリーム（例えばＯＦＤＭなどに関し）を処理しうる。各変調器３３２はさらに、ダウンリンク信号を得るための出力サンプルストリームを処理（例えば、アナログへの変換、増幅、フィルタ、およびアップコンバート）しうる。変調器３３２ａから３３２ｔのダウンリンク信号は、アンテナ３３４ａから３３４ｔを介しておのおの送信されうる。
【００３５】
ＵＥ  １２０では、アンテナ３５２ａから３５２ｒは基地局１１０からダウンリンク信号を受信しうるし、そして受信した信号を復調器（ＤＥＭＯＤ）３５４ａから３５４ｒにおのおの提供しうる。各復調器３５４は、入力サンプルを得るために、受信したそれぞれの信号を調整（例えば、フィルタ、増幅、ダウンコンバート、およびデジタル化）しうる。各復調器３５４はさらに、受信したシンボルを得るために入力サンプル（例えばＯＦＤＭなどのための）をさらに処理しうる。ＭＩＭＯ検波器３５６は復調器３５４ａから３５４ｒのすべてから受信されるシンボルを得うるし、該当する場合、受信されたシンボル上でＭＩＭＯ検波を実行し、そして検出されたシンボルを提供する。受信プロセッサ３５８は検波されたシンボルを処理（例えば、復調、デインタリーブ（deinterleave）、およびデコード）しうるし、ＵＥ  １２０に対してデータシンク  ３６０にコードされたデータを提供しうるし、そしてコントローラ／プロセッサ  ３８０にデコードされた制御情報を提供しうる。
【００３６】
アップリンク上、ＵＥ  １２０では、送信プロセッサ  ３６４がデータソース  ３６２からデータ（例えばＰＵＳＣＨに関する）、およびコントローラ／プロセッサ３８０から制御情報（例えばＰＵＣＣＨに関する）を受信しおよび処理しうる。プロセッサ３６４はまた、リファレンス信号に関するリファレンスシンボルを生成しうる。該当する場合、送信プロセッサ  ３６４からのシンボルは、ＴＸ  ＭＩＭＯプロセッサ３６６によってプリコーディングされ、さらに変調器３５４ａから３５４ｒ（例えばＳＣ−ＦＤＭなどに関して）によって処理されて、そして基地局１１０へ送信されうる。基地局１１０では、ＵＥ  １２０からのアップリンク信号は、アンテナ３３４によって受信され、復調器３３２によって処理され、該当する場合、ＭＩＭＯ検波器  ３３６によって検波され、そしてさらにＵＥ  １２０によって送られたデコードされた制御情報およびデータを得るために受信プロセッサ３３８によって処理されうる。プロセッサ３３８はデータシンク３３９にデコードされたデータを、およびコントローラ／プロセッサ３４０にデコードされた制御情報を提供しうる。基地局１１０は、例えばＸ２インターフェース  ３４１上で、他の基地局へメッセージを送ることができる。
【００３７】
コントローラ／プロセッサ３４０および３８０は、それぞれ基地局１１０およびＵＥ  １２０でオペレーションを命令しうる。プロセッサ３４０、および／または基地局１１０の他のプロセッサおよびモジュールは、ここに説明される技術に関する様々な処理の実行を遂行または命令しうる。プロセッサ３８０、および／またはＵＥ  １２０の他のプロセッサおよびモジュールはまた、図７を用いて図説されたファンクションブロック、および／または、ここに説明される技術に関する他の処理の実行を遂行または命令しうる。メモリ３４２および３８２は、それぞれ基地局  １１０およびＵＥ  １２０に関するデータとプログラムコードを格納しうる。スケジューラ３４４は、ダウンリンク、および／またはアップリンク上のデータ送信に関するＵＥをスケジュールしうる。
【００３８】
ＬＴＥ―アドバンスド（LTE-Advanced）のＵＥは、各方向の送信に使用される合計１００ＭＨｚ（５つの構成要素キャリア）までのキャリアの集合体の中で割り当てられた２０ＭＨｚの帯域幅においてスペクトルを使用する。キャリアはまた構成要素キャリア（ＣＣ）、セルなどと呼ばれることができる。用語「キャリア」、「ＣＣ」、および「セル」は、ここでは置換可能に使用される。ダウンリンクに使用されるキャリアはダウンリンクＣＣと呼ばれることができ、およびアップリンクに使用されるキャリアはアップリンクＣＣと呼ばれることができる。ｅＮＢは、ＵＥに１つ以上のダウンリンクＣＣ上でデータおよび制御情報を送信しうる。ＵＥは、ｅＮＢに１つ以上のアップリンクＣＣ上でデータおよび制御情報を送信しうる。一般に、ダウンリンクよりもアップリンク上でより少ないトラフィックが送信される、したがってアップリンクのスペクトル割当てはダウンリンクの割当てより小さいことがありうる。例えば、２０ＭＨｚがアップリンクに割り当てられる場合、ダウンリンクは１００のＭｈｚを割り当てられうる。これらの非対称のＦＤＤ割当てはスペクトルを節約するであろうし、そして広帯域の加入者による典型的な非対称帯域幅利用に関するよい適合である。
【００３９】
キャリアの集合のタイプ
ＬＴＥ―アドバンスド移動システムに関しては、二つのタイプのキャリアの集合（ＣＡ）の方法が提案されており、連続なＣＡおよび不連続なＣＡである。それらは図４Ａおよび４Ｂにおいて図説される。不連続なＣＡは、複数の利用可能な構成要素キャリアが周波数帯域に沿って分離されるとき、生じる（図４Ｂ）。他方、連続なＣＡは、複数の利用可能な構成要素キャリアが互いに隣接しているとき生じる（図４Ａ）。不連続なおよび連続な両者のＣＡは、ＬＴＥアドバンスドＵＥの単一ユニットに利用するために複数のＬＴＥ／構成要素キャリアを集合する。
【００４０】
マルチプルＲＦ受信ユニットおよびマルチプルＦＦＴは、キャリアが周波数帯域にそって分離されるためにＬＴＥ―アドバンスドＵＥにおいて不連続なＣＡと共に展開されうる。不連続なＣＡは、広い周波数範囲にわたってマルチプルに分離されたキャリア上でのデータ送信をサポートするので、伝搬経路損失、ドップラーシフトおよび他の無線経路の特徴は、異なる周波数帯域で非常に異なりうる。
【００４１】
したがって、不連続なＣＡアプローチの下での広帯域データ送信をサポートするために、実施方法は、異なる構成要素キャリアに関するコーディング、変調および送信電力を適合的に調整するために使用されうる。例えば、発展型ＮｏｄｅＢ（ｅＮｏｄｅＢ）が各構成要素キャリア上で送信電力を固定したＬＴＥ―アドバンスドシステムにおいては、各構成要素キャリアの有効なカバレッジあるいはサポートできる変調およびコーディングは異なりうる。
【００４２】
データ集合スケジュール
図５は、ＩＭＴ‐アドバンスド（IMT-Advanced）システムに関する媒体アクセス制御（ＭＡＣ）レイヤ（図５）での異なる構成要素キャリアからの送信ブロック（ＴＢ）の集合を図説する。ＭＡＣレイヤデータの集合で、各構成要素ャリアは、ＭＡＣレイヤにそれ自身の独立したハイブリッド自動再送要求（ＨＡＲＱ）エンティティを持っており、物理レイヤにそれ自身の送信構成パラメータ（例えば送信電力、変調およびコーディングスキーム、およびマルチプルアンテナ構成）を持っている。同様に、物理レイヤでは、一つのＨＡＲＱエンティティが各構成要素キャリアに提供される。
【００４３】
制御シグナリング
一般に、複数の構成要素キャリアのための制御チャネルシグナリングを配置するための三つの異なるアプローチがある。第１のものは、各構成要素キャリアがそれ自身のコード化された制御チャネルを与えられるＬＴＥシステムにおいて、制御構造の小さな修正を必要とする。
【００４４】
第２の方法は、異なる構成要素キャリアの制御チャネルを共同でコード化、および、専用の構成要素キャリアに制御チャネルを配置することを伴う。複数の構成要素キャリアのための制御情報は、この専用制御チャネル中のシグナリング内容として統合される。その結果、ＬＴＥシステムにおける制御チャネル構造との旧版との互換性は維持され、それに対してＣＡの中のシグナリング・オーバヘッドは縮小される。
【００４５】
異なる構成要素キャリアのための複数の制御チャネルは、共同でコード化され、そして第３のＣＡ方法によって形成された周波数帯域全体にわたって送信される。このアプローチは、ＵＥ側の高い電力消費という犠牲を払って、制御チャネルにおける低いシグナリング・オーバヘッドおよび高いデコーディング性能を提供する。しかしながら、この実施方法はＬＴＥシステムと互換性がない。
【００４６】
ハンドオーバ制御
ＣＡがＩＭＴ‐アドバンスド  ＵＥのために使用されるとき、複数のセルを横切るハンドオーバ手続きの間の伝送連続性をサポートすることは望ましい。しかしながら、特定のＣＡ構成を備えた、入ってくるＵＷのために十分なシステムリソース（すなわち、よい伝送品質を備えた構成要素キャリア）を確保すること、およびサービス品質（ＱｏＳ）の要求は、次のｅＮｏｄｅＢのために挑戦することであろう。理由は、二つの（あるいはより多くの）隣接セル（ｅＮｏｄｅＢ）のチャネルの状態が特定のＵＥには異なりうるということである。一つのアプローチにおいては、ＵＥは、各隣接セルの中で一つの構成要素キャリアのみの性能を測定する。これは、ＬＴＥシステムでのような測定遅延、複雑さ、およびエネルギー使用量を提供する。対応するセルでの他の構成要素キャリアの性能の推定値は、一つの構成要素キャリアの測定結果に基づきうる。この推定値に基づいて、ハンドオーバ決定および送信構成は決定されうる。
【００４７】
様々な例によれば、マルチキャリア・システム（またキャリアの集合体と呼ばれる）で動作するＵＥは、同じキャリア上で、制御および帰還機能のような複数のキャリアの一定の機能を集めるために構成され、それは「第１構成要素キャリア」（ＰＣＣ）と呼ばれることができる。サポートを主要なキャリアに依存する残りのキャリアは、関連する第２構成要素キャリア（ＳＣＣ）と呼ばれる。例えば、ＵＥは、オプションの専用チャンネル（ＤＣＨ）、スケジュール外の許可、物理的なアップリンク制御チャネル（ＰＵＣＣＨ）、および／または、物理的なダウンリンク制御チャネル（ＰＤＣＣＨ）、によって提供される制御機能のような制御機能を集めうる。シグナリングおよびペイロード（ｐａｙｌｏａｄ）は、ＵＥへのｅＮｏｄｅＢによるダウンリンク上で、およびｅＮｏｄｅＢへのＵＥによるアップリンク上で、両者で送信されうる。
【００４８】
いくつかの例においては、複数の第１キャリアがありうる。さらに、第２キャリアは、ＬＴＥ  ＲＲＣプロトコルのための３ＧＰＰ技術仕様３６．３３１におけるような、レイヤ２およびレイヤ３であるＲＬＦ手続きおよび物理チャネル確立を含むＵＥの基本オペレーションに影響することなく、加えられ、あるいは除かれうる。
【００４９】
図６は、ある例に従って物理チャネルをグループ化することにより、複数のキャリア・ワイヤレス通信システムにおける無線リンクをコントロールするための実施方法６００を図説する。示されるように、ブロック６０５では、実施方法は一つの第１キャリアおよび一つ以上の関連した第２キャリアを形成するための、少なくとも二つのキャリアから、一つのキャリアに集める制御機能を含んでいる。次に、ブロック６１０では、通信リンクが第１キャリアおよび各第２キャリアに関して確立される。その後、通信はブロック６１５での第１キャリアに基づいて制御される。
【００５０】
チャネル状態情報（ＣＳＩ）基準サブフレーム
ＬＴＥ−アドバンスド（ＬＴＥ−Ａ）は３ＧＰＰ仕様のリリース１０の一部である。ＬＴＥ−Ａにおいて、ＵＥは複数の構成要素キャリア（ＣＣ）で構成されうる。始めに議論されたように、一つの構成要素キャリアは第１構成要素キャリア（ＰＣＣ）として選定され、それに対して他のＣＣが第２構成要素キャリア（ＳＣＣ）として選定される。マルチキャリア・システムにおいては、第１構成要素キャリアは、各ＵＥのより高次のレイヤによって半静的に構成されうる、つまり、まれにアップデートされうる。本特許出願は、キャリアの集合体を使用するロング・ターム・イボリューション―アドバンスド（ＬＴＥ−Ａ）用のアップリンク（ＵＬ）を介した測定レポートの送信のための装置および実施方法を開示する。ひとつの例において、ＵＥは、物理アップリンク制御チャネル（ＰＵＣＣＨ）のようなアップリンク制御チャネルを使用して、レポートを送信する。アップリンク上で送信されたレポートは、チャネル品質インジケータ（ＣＱＩ）、プリコーディング行列インジケータ（ＰＭＩ）、ランク・インジケータ（ＲＩ）、ハイブリッド自動再送要求（ＨＡＲＱ）、確認応答（ＡＣＫ／ＮＡＣＫ）、チャネル状態レポート（ＣＱＩ／ＰＭＩ／ＲＩ）、ソースルーティング（ＳＲ）および測定リファレンス信号（ＳＲＳ）を含みうる。異なるレポートタイプに対して、ＰＵＣＣＨは異なるインジケータを伝搬する。
【００５１】
マルチキャリア・システムでは、第１構成要素キャリアは、各ＵＥのより高次のレイヤによって半静的に構成されうる。確認応答および／またはネガティブ確認応答（ＡＣＫ／ＮＡＫ）、チャネル品質インジケータ（ＣＱＩ）、およびスケジュール要求（ＳＲ）メッセージが、物理アップリンク制御チャネル（ＰＵＣＣＨ）上で送信されるとき、メッセージは第１構成要素キャリア上で送信される。
【００５２】
図７で見られるように、アップリンクＰＣＣはＰＵＣＣＨおよびＰＵＳＣＨを伝搬しうる一方、アップリンクＳＣＣはＰＵＳＣＨのみ伝搬しうる。また、ダウンリンク（ＤＬ）対アップリンク（ＵＬ）５：１までＣＣマッピングが可能である。例えば、一つのアップリンクＣＣは、５つまでのダウンリンクＣＣのために物理アップリンク制御チャネル（ＰＵＣＣＨ）を介したＡＣＫ／ＮＡＫ送信をサポートしうる。
【００５３】
ＵＥは、ＵＥをコントロールするために使用されうる測定情報をレポートするように構成されうる。ＬＴＥは、チャネル状態情報（ＣＳＩ）、例えばＣＱＩ、ＰＭＩ（プリコーディング行列インジケータ）、ＰＴＩ（プリコーディング・タイプ・インジケーター）、ＲＩ（ランク・インジケータ）、の周期的な、および非周期的な（あるいはイベント（event）でトリガ（trigger）される）両者のレポートをサポートする。ＣＳＩの周期的なレポートは、一つのサブフレーム中のただ一つのダウンリンク構成要素キャリアのために発生する。図８で見られるように、非周期的な、および周期的な両者のレポートはＰＵＳＣＨ上で送信され、一方、周期的なレポートのみがＰＵＣＣＨ上で送信される。
【００５４】
一つの例として、特定のダウンリンク構成要素キャリアは優先順位に従って選択される。構成要素キャリアはレポートタイプに基づいて優先されうる。第１あるいは最優先順位は３、５、６および２ａのレポートタイプに与えられる。
【００５５】
第２の優先順位はタイプ２、２ｂ、２ｃおよび４に与えられる。第３の優先順位はタイプ１、および１ａに与えられる。レポートタイプ／モードが同じ場合、ＣＣ優先順位はＲＲＣ構成によって定められる。同じ優先順位ルールは、物理アップリンク共有チャネル（ＰＵＳＣＨ）のないケースおよびＰＵＳＣＨがあるケースに適用される。他の選択されていないダウンリンク構成要素キャリアのためレポートすることは、省略される。決定されたダウンリンクＣＣのために、同じＣＣのためのサブバンドＣＱＩ、広帯域ＣＱＩ／ＰＭＩ、ＲＩ間の衝突の場合と同じＲｅｌ−８手続きが適用される。別の例において、周期的なＣＳＩのレポートは、サブフレーム中の２つ以上の構成要素キャリアのためでありうる。同様に、この場合、構成要素キャリアはレポートタイプに基づいて優先されうる。
【００５６】
キャリアの集合体のために構成されたシステムにおいては、非周期的なチャネル状態情報（ＣＳＩ）は周期的なＣＳＩフィードバックより柔軟である。非周期的なＣＳＩフィードバックのために、ＲＲＣ（無線リソース制御）メッセージングは、５つまでの構成要素キャリアの任意の組み合わせを構成できる。キャリアの集合体が構成される場合、非周期的なＣＳＩリクエストフィールド（request field）は２ビットを含んでいる。２ビットに対する値は次のとおりである：
「００」状態は、一つのＣＳＩもトリガされていないことを示す、
「０１」状態は、ＣＳＩレポートを送信するＵＬ  ＣＣにＳＩＢ２―リンクされるＤＬ  ＣＣのためのトリガを示す、
「１０」は、ＰＵＣＣＨがＲＲＣにより構成されることを示す、
「１０」は、ＰＵＣＣＨがＲＲＣにより構成されることを示す。
【００５７】
共通のサーチ領域に関して、「０」状態は一つのＣＳＩもトリガされていないことを示し、そして「１」状態はＰＵＣＣＨがＲＲＣによって構成されることを示す１ビットが使われる。ＲＲＣは、５つまでの構成要素キャリアの任意の組み合わせを構成することができる。
【００５８】
ＬＴＥ−Ａにおいて、データ信号およびリファレンス信号は９つの伝送モードのうちの１つで送信される。各チャネル状態情報レポートは特定の（周波数および時間における）リファレンスリソース（reference resource）に基づいて測定される。例えば、伝送モード９については、チャネル測定（channel measurement）はＣＳＩ−ＲＳ（チャネル状態情報−リファレンス信号）に基づく。他の伝送モードについては、チャネル測定は共通リファレンス信号（ＣＲＳ）に基づく。ＬＴＥ−Ａにおける９つの伝送モードは次のとおりである：
モード１：  単一アンテナポート、ポート０、
モード２：  多様性転送（Transmit Diversity）、
モード３：  大遅延（Large-Delay）  ＣＤＤ、
モード４：  閉ループ空間多重化、
モード５：  ＭＵ−ＭＩＭＯ、
モード６：  閉ループ空間多重化、単一レイヤ、
モード７：  単一アンテナポート、ＵＥ特有（UE-Specific）ＲＳ（ポート５）、
モード８：  ＵＥ特有  ＲＳ（ポート７  および／または８）を備えた単一、もしくは二重レイヤ伝送、
モード９：  マルチレイヤ伝送モード。
【００５９】
時間的な観点から、サブフレームｎにおけるチャネル品質情報（ＣＱＩ）レポートについては、リファレンスリソースは単一のダウンリンク・サブフレーム、「ｎ−ｎＣＱＩ＿ｒｅｆ」によって定義される。周期的なＣＱＩのレポートに関して、「ｎＣＱＩ＿ｒｅｆ」は有効なダウンリンク・サブフレームに対応するような、四（４）以上の最も小さな値である。非周期的なＣＱＩのレポートに関して、「ｎＣＱＩ＿ｒｅｆ」は一般に、アップリンク送信のためのダウンリンク制御情報（ＤＣＩ）フォーマットの中の対応するＣＱＩリクエストと同じ有効なダウンリンク・サブフレームにおける、リファレンスリソースである。加えて、ランダムアクセス・レスポンス許可（Random Access Response Grant）によってトリガされる非周期的なＣＱＩのレポートに関しては、「ｎＣＱＩ＿ｒｅｆ」は４と等しく、そしてダウンリンク・サブフレーム「ｎ−ｎＣＱＩ＿ｒｅｆ」は有効なダウンリンク・サブフレームに対応し、ここでダウンリンク・サブフレーム「ｎ−ｎＣＱＩ＿ｒｅｆ」は、ランダムアクセス・レスポンス（ＲＡＲ）許可の中の対応するＣＱＩリクエストを備えるサブフレームの後に受信される。
【００６０】
ダウンリンク・基準サブフレームは、それが特定のＵＥのためのダウンリンク・サブフレームとして構成されるならば、有効とみなされる。ダウンリンク・サブフレームは、それがＭＢＳＦＮ（マルチメディア放送単一周波数ネットワーク）サブフレーム（伝送モード９を除く）ではない、それが３つ以下のシンボルを備えた特別のサブフレーム・フィールド（例えばＤｗＰＴＳ（ダウンリンク・パイロット・タイムスロット））を含んでいない、そしてそれが前記ＵＥのための構成された測定ギャップ（measurement gap）以内に入らないとき、有効である。有効となるために、サブフレームはまた、第２構成要素キャリアの活性化（activation）および不活性化（deactivation）に関する遷移時間の外側に入り、第２構成要素キャリアの不活性化された期間の外側に入るべきである。ＣＳＩ−ＲＳに関係づけられた周期的なＣＳＩのレポートに関しては、有効なサブフレームは、前記ＵＥがＣＳＩサブフレーム・セットで構成されたとき、周期的なＣＳＩレポートにリンクされたＣＳＩサブフレーム・セットの要素であるべきである。ＣＱＩリファレンスリソースのための有効なダウンリンク・サブフレームがない場合、ＣＱＩのレポートは、関連するアップリンク・サブフレームにおいて省略される。
【００６１】
複数の構成要素キャリアが可能になり、そして構成要素キャリアの一つが有効な基準サブフレームを持つ一方で別の構成要素キャリアが無効な基準サブフレームを持つとき、どのようにレポートを「省略する」のか不明確である。無効なサブフレームは多くの要因に起因しうる。例えば、一つの構成要素キャリア（ＣＣ）が周波数分割複信（ＦＤＤ）され、そして別の構成要素キャリアが時分割複信（ＴＤＤ）され、そしてトリガが両方の構成要素キャリアのためにレポートすることを要求するとき、基準サブフレームはダウンリンク・サブフレームでないことがありうる。別の例として、二つのＴＤＤの構成要素キャリアが異なるダウンリンクおよびアップリンク構成に属するとき、どのようにレポートするか不明確である。加えて、構成要素キャリアが整列されていないとき、サブフレームは無効でありうる。例えば、サブフレームは、マルチメディア放送単一周波数ネットワーク（ＭＢＳＦＮ）サブフレーム、３つ以下のシンボルを備えた特別のサブフレームでありうるし、あるいは他ではない一つの構成要素キャリアのための測定ギャップに入りうる。さらにまた、第２構成要素キャリアが非活性化（deactivate）され、およびまた第２構成要素キャリアが活性化（activate）された間もない（例えば０−８ミリセカンド）後、サブフレームは無効でありうる。
【００６２】
無効な基準サブフレームを管理するために様々な設計が実施されうる。一つの観点において、チャネル状態情報レポートは選択的に省略される。特に、無効な基準サブフレームを備えた構成要素キャリアに対しては、チャネル状態情報レポートは送られない。図９に関して今例が説明される。ＵＥは、ブロック９０５において、第１構成要素キャリア（ＣＣ１）、第２構成要素キャリア（ＣＣ２）、および／または第三構成要素キャリア（ＣＣ３）に関してレポートするように構成されうる。一旦ＵＥがレポートを送るためにトリガされると、ＣＣ３が有効な基準サブフレームを持つ一方でＣＣ１およびＣＣ２が無効な基準サブフレームを持つと決定された場合、ＵＥはＣＣ３に関してのみレポートしうる一方で、ブロック９１０でＣＣ１およびＣＣ２レポートを省略する。
【００６３】
別の観点において、少なくとも一つの構成要素キャリアが無効な基準サブフレームを持つ場合、無効な基準サブフレームを備えた構成要素キャリアのためだけのレポートを省略するのではなく、すべての構成要素キャリアのためにレポートすることが省略されうる。加えて、別の観点において、すべての構成要素キャリアが無効なサブフレームを持つとき、ＵＥはレポートすることを完全に省略し、あるいはエラーイベントとして扱いうる。無効な基準サブフレームを備えた構成要素キャリアのためにレポートすることを省略することはアップリンク・オーバヘッドを減少させる。
【００６４】
別の観点において、ダミーのレポートすることが利用されうる。特に、無効な基準サブフレームを備えた構成要素キャリアのために、チャネル状態情報（ＣＳＩ）レポートはダミー情報とともに送信される。図１０に関して今例が説明される。ＵＥはＣＣ１、ＣＣ２およびＣＣ３に関してレポートするように構成され、ブロック１００５でレポートを送るためにトリガされる。
【００６５】
この例において、ＣＣ１とＣＣ２は無効な基準サブフレームを持っており、その一方でＣＣ３には有効な基準サブフレームを持つ。ブロック１０１０において、ＵＥは、「ダミーの」（例えばプリコーディング・マトリックス・インジケータ（ＰＭＩ）およびランク・インジケータ（ＲＩ）が不特定でありうると同時にＣＱＩ＝０（範囲外））ＣＣ１、ＣＣ２レポートを備え、ＣＣ１、ＣＣ２、およびＣＣ３に関してレポートする。ダミーのレポートすることは固定されたチャネル状態情報レポートを見込み、そしてｅＮｏｄｅＢとＵＥの間の潜在的な不整合を回避する。
【００６６】
しかし別の観点は半静的な選択的なレポートの省略を利用する。無効な基準サブフレームを備えたそれらの構成要素のキャリアに関して、無効であることが本質的に静的および／または半静的な場合、チャネル状態情報（ＣＳＩ）レポートは省略される。例えば、無効であることが特別のサブフレーム、ＭＢＳＦＮ構成、ダウンリンク・サブフレームの利用可能性など、に帰する場合、ＣＳＩレポートは省略される。別の方法では、ダミーのレポートが送信される。例えば、無効であることが構成要素キャリアの活性化／不活性化に帰する場合、ダミーのレポートが送信される（例えば範囲外）。別の例では、ＵＥはＣＣ１、ＣＣ２およびＣＣ３に関してレポートするように構成され、そしてレポートを送るためにトリガされる。ＣＣ１とＣＣ２は無効な基準サブフレームを持つ一方でＣＣ３は有効な基準サブフレームを持つ。ＣＣ１の無効であることはＭＢＳＦＮサブフレームに帰する。およびＣＣ２の無効であることは活性化／不活性化に帰す。レポートがＣＣ３のために送られ、ダミーのレポートがＣＣ２のために送られ、そしてＣＣ１のレポートは省略される。選択的な半静的な省略はアップリンク・オーバヘッドの効率を促進し、ｅＮｏｄｅＢとＵＥの間の不整合を低減または最小化しさえする。別の例では、本質的に半静的な無効な基準サブフレームを備えた少なくとも一つの構成要素キャリアがある場合、すべての構成要素キャリアに関するチャネル状態情報のレポート全体は省略される。
【００６７】
上に述べたように、周期的なチャネル状態情報レポートは、非周期的なチャネル状態情報レポートと異なる。特に周期的なチャネル状態情報レポートは、４ミリセカンドあるいはそれ以前に有効なサブフレームを参照する。加えて、ＬＴＥリリース１０においては、各々の周期的なレポートに関して、レポートは複数の構成要素キャリアではなく、サブフレーム中のただ一つの構成要素キャリアのためのものである。別の例において、周期的なＣＳＩのレポートが一つのサブフレーム中の２つ以上の構成要素キャリアのために発生しうる可能性がある。その結果、周期的なチャネル状態情報レポートは、非周期的なチャネル状態情報レポートとは異なって扱われうる。特に、一つの観点では、構成要素のキャリアが不活性化される場合、その構成要素キャリアに関するレポートは省略されうる。別の観点において、不活性化された構成成分キャリアのために、ダミーのレポートが生成される。
【００６８】
異なるタイプのレポート（例えば、周期的なおよび非周期的な）は異なる方法で処理されうる。例えば、周期的なレポートに関しては、不活性化された構成要素キャリアのためのレポートは省略されることができる。非周期的なレポートに関しては、不活性化された構成要素キャリアのためのレポートはダミーのレポート（例えばＣＱＩ＝０あるいは範囲外）として送信されることができる。
【００６９】
別の観点において、有効な基準サブフレームを備えた構成要素キャリアと衝突する無効なリファレンスを備えた構成要素のキャリアの優先順序をつけること（prioritization）が考慮される。一つの構成において、ＣＳＩレポートが発生しうるかどうかにかかわらず、無効なリファレンスを備えた複数の構成要素キャリアは、やはり優先順序をつけることの要素である。別の構成において、ＣＳＩレポートが発生しうるかどうかにかかわらず、無効な基準サブフレームを持つそれらの構成要素キャリアは、優先順序をつけることの比較において考慮されない。さらにまた別の構成において、ダミーのレポートが可能になる場合のみ、無効な基準サブフレームを持つ複数の構成要素キャリアは，優先順序をつけることの要素である。そうでない場合、無効リファレンスを備えたそれらの構成要素キャリアは、優先順序の比較において考慮されない。
【００７０】
図１１は、キャリアの集合体システムにおけるチャネル状態情報フィードバックのための無効なリファレンス（reference）・サブフレームを管理するための実施方法１１００を図説する。ブロック１１１０において、ＵＥはダウンリンク構成要素キャリア上の無効な基準サブフレームを受信し、ここにはチャネル状態情報レポートが期待される。ＵＥは、ブロック１１１２において、ダウンリンク構成要素キャリアの受信された無効な基準サブフレームに基づいてレポートする手続きを決定する。
【００７１】
ある例において、構成要素キャリアは、ブロック１１１２においてレポートタイプに基づいて優先付されうる。第１あるいは最高優先順位は、ブロック１１１６においてレポートタイプ３、５、６および２ａに与えられる。第２の優先順位はブロック１１１８においてタイプ２、２ｂ、２ｃおよび４に与えられる。第３の優先順位はブロック１１２０においてタイプ１、および１ａに与えられる。ブロック１１２２において、すべての他のタイプに関するレポートをすることは省略される。
【００７２】
一つの構成において、ＵＥ  １２０は、有効な基準サブフレームを備えた構成要素キャリアに関する測定レポートを送信するための手段を含むワイヤレス通信のために構成される。一つの観点において、送信手段は、受信手段によって説明された機能を実行するために構成された、コントローラ／プロセッサ３８０、メモリ３８２、送信プロセッサ３６４、および／またはアンテナ３５２ａ−３５２ｒでありうる。ＵＥ  １２０はまた、無効な基準サブフレームを備えた少なくとも一つの構成要素キャリアに関する測定レポートを省略するための手段を含めるように構成される。一つの観点において、決定する手段は、省略する手段によって説明された機能を実行するために構成された、コントローラ／プロセッサ３８０および／またはメモリ３８２でありうる。別の観点において、前述の手段は、前述の手段によって説明された機能を実行するために構成された任意のモジュールあるいは任意の装置でありうる。
【００７３】
当業者は、本開示に関してここに説明された、様々な例示的な論理ブロック、モジュール、回路、およびアルゴリズム・ステップは、電子ハードウェア、コンピュータ・ソフトウェア、あるいは両者の組み合わせとして実施されうることをさらに認識するであろう。ハードウェアとソフトウェアとの相互置換性を明確に説明するために、様々な例示的な構成要素、ブロック、モジュール、回路、およびステップが、それらの機能の用語によって一般的に上記で説明された。そのような機能がハードウェアあるいはソフトウェアとして実施されるかは、特定のアプリケーションおよびシステム全体に課せられている設計制約に依存する。当業者は、各々の特定のアプリケーションのための様々な方式で、説明された機能を実施しうるが、このような実施の決定は、本開示の範囲からの逸脱をもたらすものと解釈されるべきではない。
【００７４】
本開示に関してここに説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル・ロジック・デバイス、ディスクリートゲートあるいはトランジスタロジック、ディスクリートハードウエアコンポーネント、または、および、ここで説明された機能を実行するために設計されたこれらの任意の組み合わせで、実施または実行されうる。汎用プロセッサは、マイクロプロセッサでありうるが、代案において、プロセッサは、任意の一般的なプロセッサ、コントローラ、マイクロコントローラ、または順序回路でありうる。プロセッサはまた、例えばＤＳＰとマイクロプロセッサとの組み合わせ、複数のマイクロプロセッサ、ＤＳＰコアと結合する１つ以上のマイクロプロセッサ、またはその他任意のこのような構成であるコンピューティング・デバイスの組み合わせとして実施されうる。
【００７５】
本開示に関してここに説明された方法あるいはアルゴリズムのステップは、ハードウェアで、プロセッサによって実行されたソフトウエア・モジュールで、あるいは二つの組み合わせで直接具体化されうる。ソフトウエア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他すべての形式の記憶媒体に存在しうる。典型的な記憶媒体は、プロセッサが記憶媒体から情報を読み取り、およびそこへ情報を書き込むことができるように、プロセッサに結合される。代案として、記憶媒体はプロセッサの一部でありうる。このプロセッサおよび記憶媒体は、ＡＳＩＣ内に存在しうる。ＡＳＩＣは、ユーザ端末内に存在しうる。代案として、プロセッサおよび記憶媒体は、ユーザ端末内のディスクリート・コンポーネントとして存在しうる。
【００７６】
１つ以上の典型的な設計において、説明された機能は、ハードウェア、ソフトウェア、ファームウェア、あるいはそれらの任意の組み合わせで実施されうる。ソフトウェアで実施される場合、これら機能は、コンピュータ読取可能媒体上に格納されるか、あるいはコンピュータ読取可能媒体上の１以上の命令またはコードとして送信されうる。コンピュータ読取可能媒体は、ある場所から別の場所へコンピュータ・プログラムを転送することを容易にする任意の媒体を含む通信媒体とコンピュータ記憶媒体の両者を含む。記憶媒体は、汎用あるいは特別目的のコンピュータによってアクセスされうる任意の利用可能な媒体でありうる。例として、そして制限ではなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは命令またはデータ構造の形式で所望のプログラムコード方法を伝搬または格納するために使用され、かつ、汎用または特別目的のコンピュータ、あるいは、汎用プロセッサまたは特別目的のプロセッサによってアクセスされうるその他任意の媒体を含みうる。また、いかなる接続もコンピュータ読取可能媒体と当然に呼ばれる。例えば、同軸ケーブル、光ファイバ・ケーブル、ツイスト・ペア、デジタル加入者線（ＤＳＬ）、あるいは赤外線、無線、およびマイクロ波のようなワイヤレス技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは赤外線、無線およびマイクロ波のようなワイヤレス技術は、媒体の定義に含まれる。ディスク（ｄｉｓｋおよびｄｉｓｃ）は、ここで用いられているように、コンパクト・ディスク（ＣＤ）、レーザ・ディスク（登録商標）、光ディスク、デジタル・バーサタイル・ディスク（ＤＶＤ）、フロッピー（登録商標）ディスク、およびブルー・レイ（登録商標）ディスクを含み、ｄｉｓｃはレーザを用いてデータを光学的に再生するのに対し、これらｄｉｓｋは、通常、データを磁気的に再生する。上記の組み合わせもまた、コンピュータ読取可能媒体の範囲内に含まれるべきである。
【００７７】
本開示の説明は、任意の当業者が本開示を製造するあるいは使用することを可能にするために提供される。この開示に対するさまざまな変更は、当業者に直ちに明白であって、そして、ここで定義された一般原理は、本開示の精神または範囲から逸脱することなく他のバリエーションに適用されうる。このように、本開示は、ここに記述された例および設計に限定されることは意図されず、ここで開示された原理および新規な特徴に一致した最も広い範囲に相当するとされている。
以下に、本願出願の当初の特許請求の範囲に記載された発明を付記する。
［Ｃ１］
アップリンク上でロング・ターム・イボリューション（ＬＴＥ）測定レポートを送信する方法であって、該方法は下記を具備する、
マルチキャリア構成において無効な基準サブフレームを管理すること。
［Ｃ２］
Ｃ１に記載の方法において、前記無効な基準サブフレームを管理することは以下を具備する、
複数の有効な基準サブフレームを備えた複数の構成要素キャリアに関する測定レポートを送信することと、および
無効な基準サブフレームを備えた少なくとも一つの構成要素キャリアに関する測定レポートを省略すること。
［Ｃ３］
Ｃ２に記載の方法において、無効な基準サブフレームを管理することは、
前記構成要素キャリアのすべてが無効な基準サブフレームを持つときすべての構成要素キャリアに関するレポートを省略すること、
を具備する。
［Ｃ４］
Ｃ２に記載の方法において、無効な基準サブフレームを管理することは、
少なくとも前記構成要素キャリアの一つが無効な基準サブフレームを持つときすべての構成要素キャリアに関するレポートを省略すること、
を具備する。
［Ｃ５］
Ｃ２に記載の方法において、前記測定レポートは周期的なチャネル状態情報（ＣＳＩ）レポートである、
上記方法。
［Ｃ６］
Ｃ５に記載の方法において、周期的な測定レポートを送信することは、サブフレームの中のただ一つの構成要素キャリアに関する周期的なＣＳＩレポートを送信することを具備する、
ここにおいて、まさに一つの同じサブフレームの中の周期的なＣＳＩレポートを備える複数の構成要素キャリアの中で優先順序をつけることは、各々の構成要素キャリアに関するレポートタイプに少なくとも部分的に基づいている、ここで、
タイプ３，５，６および２をレポートすることは最優先順序を持ち、
タイプ２，２ｂ、２ｃ、および４をレポートすることは、タイプ３、５、６および２ａがレポートされるときに優先され、および
タイプ１および１aをレポートすることは、タイプ２、２ｂ、２ｃおよび４がレポートされるときに優先される、
上記方法。
［Ｃ７］
Ｃ６に記載の方法において、前記測定レポートは不活性化された複数の構成要素キャリアに関して省略され、および優先順序をつけることは活性化された複数の構成要素キャリアの中でのみ実行される、
上記方法
［Ｃ８］
Ｃ６に記載の方法において、優先順序をつけることは、少なくとも二つの構成要素キャリアが同じレポートするタイプを持つとき、より上位のレイヤ構成にさらに基づく、
上記方法。
［Ｃ９］
Ｃ６に記載の方法において、周期的な測定レポートを送信することは、一つのサブフレームの中の少なくとも二つの構成要素キャリアに関する周期的なＣＳＩレポートを送信すること具備する、
ここにおいて、まさに一つの同じサブフレームの中の周期的なＣＳＩレポートを備えた複数の構成要素キャリアの中で優先順序をつけることは、各々の構成要素キャリアに関するレポートタイプに少なくとも部分的に基づく、
上記方法。
［Ｃ１０］
Ｃ６の方法において、測定レポートを送信することは、物理アップリンク制御チャネル（ＰＵＣＣＨ）あるいは物理アップリンク共有チャネル（ＰＵＳＣＨ）上の周期的なチャネル状態情報レポートを送信すること、
を具備する。
［Ｃ１１］
Ｃ２の方法において、前記測定レポートは非周期的なチャネル状態情報レポート（ＣＳＩ）である、
上記方法。
［Ｃ１２］
Ｃ１１の方法において、非周期的な測定レポートを送信することは、物理アップリンク共有チャネル（ＰＵＳＣＨ）上で送信すること、
を具備する。
［Ｃ１３］
Ｃ１２の方法において、非周期的な測定レポートを送信することは、アップリンクデータのないＰＵＳＣＨ上で送信することを、
を具備する。
［Ｃ１４］
Ｃ１２の方法において、非周期的な測定レポートを送信することは、アップリンクデータを備えたＰＵＳＣＨ上で送信すること、
を具備する。
［Ｃ１５］
Ｃ２の方法において、無効な基準サブフレームを備えた少なくとも一つの構成要素キャリアに関する測定レポートを省略することは以下を具備する、
前記無効が半静的あるいは静的であるとき前記少なくとも一つの構成要素キャリアに関する測定レポートを省略すること、および
前記無効が半静的でも、静的でもないときダミーのレポートを送信すること。
［Ｃ１６］
Ｃ１に記載の方法において、無効な基準サブフレームを管理することは以下を具備する、
有効な基準サブフレームを備えた少なくとも一つの構成要素キャリアに関する測定レポートを送信すること、および
有効な基準サブフレームを備えた少なくとも一つの構成要素キャリアに関するダミー情報を送ること。
［Ｃ１７］
Ｃ１に記載の方法において、前記無効な基準サブフレームは以下を具備する、
測定ギャップ内のサブフレーム、
マルチメディア放送単一周波数ネットワーク（ＭＢＳＦＮ）サブフレーム、
３より少ないシンボルの期間を備えたダウンリンク・パイロット・タイム・スロット（ＤｗＰＴＳ）を含んでいるサブフレーム、あるいは
活性化の遷移期間あるいは不活性化の遷移期間あるいは不活性化された期間内のサブフレーム。
［Ｃ１８］
Ｃ１に記載の方法において、無効な基準サブフレームを管理することは、
構成要素キャリアが不活性化されたとき周期的なレポートを省略すること、を具備する。
［Ｃ１９］
Ｃ１に記載の方法において、無効な基準サブフレームを管理することは、
構成要素キャリアが不活性化されるときダミーの周期的なレポートを送信すること、を具備する。
［Ｃ２０］
アップリンク上でロング・ターム・イボリューション（ＬＴＥ）測定レポートを送信する装置、該装置は下記を具備する、
メモリ、および
前記メモリに結合された少なくとも一つのプロセッサ、マルチキャリア構成において無効な基準サブフレームを管理するために構成されている前記少なくとも一つのプロセッサ、
上記装置。
［Ｃ２１］
Ｃ２０に記載の装置において、前記少なくとも一つのプロセッサは、
有効な基準サブフレームを備えた複数の構成要素キャリアに関する測定レポートを送信すること、および
無効な基準サブフレームを備えた少なくとも一つの構成要素キャリアに関する測定レポートを省略すること、
により無効な基準サブフレームを管理するために構成される、
上記装置。
［Ｃ２２］
Ｃ２１に記載の装置において、前記少なくとも一つのプロセッサは、すべての構成要素キャリアが無効な基準サブキャリアを持つとき前記構成要素キャリアすべてに関してレポートすることが省略されることにより無効な基準サブフレームが管理するためにさらに構成される、
上記装置。
［Ｃ２３］
Ｃ２１に記載の装置において、前記少なくとも一つのプロセッサは、少なくとも前記複数の構成要素キャリアの少なくとも１つが無効な基準サブフレームを持つときすべての構成要素キャリアに関してレポートすることが省略されることにより無効な基準サブフレームを管理するためにさらに構成される、
上記装置。
［Ｃ２４］
Ｃ２１に記載の装置において、前記測定レポートは周期的なチャネル状態情報（ＣＳＩ）レポートである、
上記装置。
［Ｃ２５］
Ｃ２４に記載の装置において、前記少なくとも一つのプロセッサは、サブフレームの中のただ一つの構成要素キャリアに関する周期的なＣＳＩレポートを送信することにより周期的な測定レポートを送信するためにさらに構成される、
ここにおいて、まさに一つの同じサブフレームの中の周期的なＣＳＩレポートを備える複数の構成要素キャリアの中で優先順序をつけることは、各々の構成要素キャリアに関するレポートタイプに少なくとも部分的に基づいている、ここで
タイプ３，５，６および２をレポートすることは最優先順序を持ち、
タイプ２，２ｂ、２ｃ、および４をレポートすることは、タイプ３、５、６および２ａがレポートされるときに優先され、および
タイプ１および１ａをレポートすることは、タイプ２、２ｂ、２ｃおよび４がレポートされるときに優先される、
上記装置。
［Ｃ２６］
Ｃ２５の装置において、前記測定レポートは不活性化された複数の構成要素キャリアに関して省略され、および優先順序をつけることは活性化された複数の構成要素キャリアの中でのみ実行される、
上記装置。
［Ｃ２７］
Ｃ２５の装置において、優先順序をつけることは、少なくとも二つの構成要素キャリアが同じレポートするタイプを持つとき、より上位のレイヤ構成にさらに基づく、
上記装置。
［Ｃ２８］
Ｃ２５に記載の装置において、前記少なくとも一つのプロセッサは、サブフレームの中の少なくとも二つの構成要素キャリアに関する周期的なＣＳＩレポートを送信することによって周期的な測定レポートを送信するためにさらに構成される、
ここにおいて、まさに前記一つの同じサブフレームの中の周期的なＣＳＩレポートを備えた複数の構成要素キャリアの中で優先順序をつけることは、各々の構成要素キャリアに関するレポートタイプに少なくとも部分的に基づく、
上記装置。
［Ｃ２９］
Ｃ２５の装置において、前記少なくとも一つのプロセッサは、物理アップリンク制御チャネル（ＰＵＣＣＨ）あるいは物理アップリンク共有チャネル（ＰＵＳＣＨ）上で周期的なチャネル状態情報レポートを送信することによって測定レポートを送信するためにさらに構成される、
上記回路。
［Ｃ３０］
Ｃ２１の装置において、前記測定レポートは非周期的なチャネル状態情報（ＣＳＩ）である、
上記装置。
［Ｃ３１］
Ｃ３０の装置において、前記少なくとも一つのプロセッサは、物理アップリンク共有チャネル（ＰＵＳＣＨ）上で送信することによって非周期的な測定レポートを送信するためにさらに構成される、
上記装置。
［Ｃ３２］
Ｃ３１の装置において、前記少なくとも一つのプロセッサは、アップリンクデータなしの前記ＰＵＳＣＨ上で送信することによって非周期的な測定レポートを送信するためにさらに構成される、
上記装置。
［Ｃ３３］
Ｃ３１の装置において、前記少なくとも一つのプロセッサは、アップリンクデータを備えた前記ＰＵＳＣＨ上で送信することによって非周期的な測定レポートを送信するためにさらに構成される、
上記装置。
［Ｃ３４］
Ｃ２１の装置において、前記少なくとも一つのプロセッサは、
前記無効が半静的あるいは静的であるとき前記少なくとも一つの構成要素キャリアに関する測定レポートを省略すること、および
前記無効が半静的でも、静的でもないときダミーのレポートを送信すること、
により、無効な基準サブフレームを備えた少なくとも一つの構成要素キャリアに関する測定レポートを省略するためにさらに構成される。
［Ｃ３５］
Ｃ２０に記載の装置において、前記少なくとも一つのプロセッサは、
有効な基準サブフレームを備えた少なくとも一つの構成要素キャリアに関する測定レポートを送信すること、および
無効な基準サブフレームを備えた少なくとも一つの構成要素キャリアに関するダミーの情報を送ること、
により、無効な基準サブフレームを管理するようにさらに構成される。
［Ｃ３６］
Ｃ２０に記載の装置において、前記無効な基準サブフレームは以下を具備する、
測定ギャップ内のサブフレーム、
マルチメディア放送単一周波数ネットワーク（ＭＢＳＦＮ）サブフレーム、
３より少ないシンボルの期間を備えたダウンリンク・パイロット・タイム・スロット（ＤｗＰＴＳ）を含んでいるサブフレーム、あるいは 
活性化の遷移期間あるいは不活性化の遷移期間あるいは不活性化された期間内のサブフレーム。
［Ｃ３７］
Ｃ２０に記載の装置において、前記少なくとも一つのプロセッサは、構成要素キャリアが非活性化されるときに周期的なレポートを省略することによって無効な基準サブフレームを管理するためにさらに構成される。
［Ｃ３８］
Ｃ２０に記載の装置において、前記少なくとも一つのプロセッサは、構成要素キャリアが不活性化されるときダミーの周期的なレポートを送信することによって無効な基準サブフレームを管理するためにさらに構成される。
［Ｃ３９］
アップリンク上でロング・ターム・イボリューション（ＬＴＥ）測定レポートを送信する装置、該装置は下記を具備する、
有効な基準サブフレームを備えた構成要素キャリアに関する測定レポートを送信する複数の手段、および
無効な基準サブフレームを備えた少なくとも一つの構成要素キャリアに関する測定レポートを省略する複数の手段。
［Ｃ４０］
アップリンク上でロング・ターム・イボリューション（ＬＴＥ）測定レポートを送信するコンピュータ・プログラム、該プログラムは下記を具備する、
マルチキャリア構成中の無効な基準サブフレームを管理するためのプログラムコード。
［Ｃ４１］
Ｃ４０に記載のプログラムにおいて、その中の無効な基準サブフレームを管理するためのプログラムコードは下記を具備する、
有効な基準サブフレームを備えた複数の構成要素キャリアに関する測定レポートを送信するためのプログラムコード、および
無効な基準サブフレームを備えた少なくとも一つの構成要素キャリアに関する測定レポートを省略するためのプログラムコード。
【図１】
0005805853.tif 000002
【図２】
0005805853.tif 000003
【図３】
0005805853.tif 000004
【図４Ａ】
0005805853.tif 000005
【図４Ｂ】
0005805853.tif 000006
【図５】
0005805853.tif 000007
【図６】
0005805853.tif 000008
【図７】
0005805853.tif 000009
【図８】
0005805853.tif 000010
【図９】
0005805853.tif 000011
【図１０】
0005805853.tif 000012
【図１１】
0005805853.tif 000013